(57)【特許請求の範囲】
【請求項１】
送信信号光を発光する発光素子と、受信信号光を受光する受光素子とを備え、前記信号光の送受信を１芯の光ファイバを共有して行う光送受信モジュールにおいて、
光ファイバが所定位置に装着されたときに、前記発光素子から前記光ファイバの端面に至る送信信号光の光路と前記光ファイバの端面から前記受光素子に至る受信信号光の光路とを互いに分離する遮光性の仕切り部材を備え、
前記仕切り部材は、前記送信信号光の光路と前記受信信号光の光路との間において前記装着された光ファイバの光軸方向に延びる遮光性材料からなる仕切り板と、この仕切り板を前記光ファイバの光軸方向に移動可能に保持する保持部とを有し、
前記仕切り板は、光ファイバが所定位置に装着されたときに、隙間をあけて光ファイバの端面に対向する対向面を有し、この対向面には光吸収材料が塗布されていることを特徴とする光送受信モジュール。
【請求項２】
前記隙間（Ｇ）は０ｍｍ＜Ｇ＜０．３ｍｍであることを特徴とする請求項１記載の光送受信モジュール。
【請求項３】
前記仕切り部材は、光ファイバが所定位置に装着されたときに、前記隙間が一定になるように前記対向面を前記光ファイバの端面に対して位置決めする位置決め手段を備えたことを特徴とする請求項１記載の光送受信モジュール。
【請求項４】
前記位置決め手段は、光ファイバを内部に保持するプラグの端面に接触する係合面であり、この係合面は前記対向面に対して固定された位置関係にあることを特徴とする請求項３記載の光送受信モジュール。
【請求項５】
前記位置決め手段は、前記光ファイバの端面のうち信号光が通過しない部分に接触する係合面であり、この係合面は前記対向面に対して固定された位置関係にあることを特徴とする請求項３記載の光送受信モジュール。
【請求項６】
前記仕切り部材は、前記係合面を前記光ファイバ側に付勢するバネ手段をさらに備えていることを特徴とする請求項４または５記載の光送受信モジュール。
【請求項７】
前記仕切り部材は、さらに、前記仕切り板が固定されると共に、前記係合面を有する係合部を備え、
前記保持部は、前記係合部を前記光ファイバ側に付勢するバネ手段を有し、前記係合部を光ファイバの光軸方向に移動可能に保持することを特徴とする請求項４または５記載の光送受信モジュール。
【請求項８】
前記係合部は、光ファイバを有する光プラグの先端部分を収容するための略円錐台形状の穴を有する請求項７記載の光送受信モジュール。
【請求項９】
滑り摩擦係数の小さい材料を前記係合面に用いたことを特徴とする請求項４または５に記載の光送受信モジュール。
【請求項１０】
請求項１乃至９のいずれか１つに記載の光送受信モジュールと、
一芯の光ファイバが挿通されており、この光ファイバの各端面が光ファイバの光軸に対し回転対称な曲面である光ケーブルとを備えたことを特徴とする光送受信システム。
【請求項１１】
前記光ファイバの端面は、両端部に設けたプラグから突出すると共に、前記光ファイバの端面の半径方向外側部分は前記プラグの端面の一部を覆っていることを特徴とする請求項１０記載の光送受信システム。
【請求項１２】
前記光送受信モジュールにおける前記仕切り板の対向面は、光ファイバの端面形状と略相補の形状を有することを特徴とする請求項１０または１１記載の光送受信システム。
【発明の詳細な説明】
【０００１】
【発明の属する技術分野】
本発明は、１芯の光ファイバを共有して送受信を行う１芯双方向光送受信システム、および、このシステムに使用される光送受信モジュールに関するものである。特に、ＩＥＥＥ１３９４やＵＳＢ２などの高速伝送が可能なデジタル通信システムに関するものである。
【０００２】
【従来の技術】
本願出願人は、先に出願した特願平１１−２９６２７３号（平成１１年１０月１９日出願）において、シールド板を用いることにより電気的クロストークを低減するとともに、発光デバイスと受光デバイスの間を遮り光ファイバの端面に当接する遮光性の仕切り板を用いることにより、光学的クロストークを低減し、全二重通信を実現する光送受信システムを提案した。発光デバイスは送信信号光を発する発光素子を透明樹脂で封止したものであり、受光デバイスは受信信号光を受ける受光素子を透明樹脂で封止したものである。
【０００３】
図９はこの光送受信システムにおいて、内部に一芯の光ファイバを備えた光プラグ３０が光送受信モジュール（全体図は省略する）内に途中まで挿入されて仕切り板１９に接触し始めた状態を、図１０は光プラグ３０が光送受信モジュールに完全に挿入されて仕切り板１９に接触しきった状態を示す。図９、１０中、（Ａ）は仕切り板１９の平面図であり、（Ｂ）は光プラグ３０に対する仕切り板１９の位置関係を示す側面図である。
【０００４】
光ファイバを含む光プラグ３０は、製造過程で長さのばらつきを持つ。このシステムでは、どのような長さの光プラグ３０が光送受信モジュール内に挿入されても仕切り板１９が常に光ファイバ３２端面に接触するように、最大ばらつき時（最短時）でも光プラグ３０（光ファイバ端面）によって押圧される位置に仕切り板１９を配置すると共に、仕切り板１９に弾性変形機能を持たせて、長目の光プラグが挿入されたときには仕切り板１９を光送受信モジュールの奥方へと移動可能としている（図１０）。このようにして、光プラグ３０の長さのバラツキが吸収される。
【０００５】
図１１に光送受信モジュールと共に光送受信システムを構成する、光プラグ３０を有する光ケーブルの要部を示す。図中、（Ａ）は側面図であり、（Ｂ）は裏面図である。この図に示すように、光プラグ３０（光ファイバを含む）は光ケーブルの各端部（一端部のみ図示）に設けられており、光ファイバの先端も含む光プラグ３０の先端は光ファイバの長手方向前方（つまりモジュール側）に向けて傾斜した斜面３０ａとなっている。また、光プラグ３０に水平方向に延びる回転防止のキー３１を設けると共に、光送受信モジュール内に、前記キー３１と協働するキー溝（図示せず）を設けて、光プラグ３０の回転に伴い光の入出力特性が変化することを防止するようにしている。
【０００６】
【発明が解決しようとする課題】
このシステムでは、光プラグ３０に回転防止用のキー３１が形成されているため、光プラグの装着時にこのキー３１を光送受信モジュールのキー溝に合わせないと光プラグを光送受信モジュールに挿入できず、ユーザーの利便性が悪い問題があった。
【０００７】
しかしながら、光プラグ３０の回転防止キー３１を取り去って装着時の利便性を高めようとすると、光プラグ３０が回転可能となるため、光ファイバの端面３０ａと仕切り板１９が接触した状態で光プラグ３０が回転する場合がある。その結果、光ファイバの端面や仕切り板が破損する問題が生じることになる。
【０００８】
そこで、本発明は、遮光性の仕切り板を用いて全二重通信方式による光伝送を可能にする光送受信モジュール、光ケーブル、及びそれらを用いた光送受信システムにおいて、光プラグがモジュール内で回転しても光ファイバ端面にも仕切り板にも破損が発生しない構造を提供することを目的とする。
【０００９】
【課題を解決するための手段】
上記目的を達成するために、本発明は、送信信号光を発光する発光素子と、受信信号光を受光する受光素子とを備え、前記信号光の送受信を１芯の光ファイバを共有して行う光送受信モジュールにおいて、
光ファイバが所定位置に装着されたときに、前記発光素子から前記光ファイバの端面に至る送信信号光の光路と前記光ファイバの端面から前記受光素子に至る受信信号光の光路とを互いに分離する遮光性の仕切り部材を備え、
前記仕切り部材は、前記送信信号光の光路と前記受信信号光の光路との間において前記装着された光ファイバの光軸方向に延びる遮光性材料からなる仕切り板と、この仕切り板を前記光ファイバの光軸方向に移動可能に保持する保持部とを有し、
前記仕切り板は、光ファイバが所定位置に装着されたときに、隙間をあけて光ファイバの端面に対向する対向面を有し、この対向面には光吸収材料が塗布されていることを特徴とする光送受信モジュールを提供する。
【００１０】
上記構成によれば、光ファイバを内部に有する光プラグがこの光送受信モジュール内に装着されたとき、光ファイバの端面と仕切り部材の対向面との間に間隙があるので、光プラグが回転しても、光ファイバの端面と対向面とが接触することがない。したがって、これらの破損を防止できる。また、光プラグの回転による光ファイバの端面や仕切り部材の破損をこのように防止できるので、回転防止機構を光送受信モジュールおよび光プラグに設ける必要がなく、したがって、ユーザは簡単に光プラグをこの送受信モジュールに装着することができる。
【００１１】
全二重通信方式による光伝送の観点から、前記隙間（Ｇ）は、好ましくは、０ｍｍ＜Ｇ＜０．３ｍｍであり、より好ましくは、略０．２ｍｍであるのがよい。光学系にも依存するが、この隙間寸法であれば、ビットエラーレート（ＢＥＲ）を１Ｅ−１２（１０の−１２乗）にでき、全二重通信方式による光伝送を達成できる。
【００１２】
前記仕切り部材は、光ファイバが所定位置に装着されたときに、前記隙間が一定になるように前記対向面を前記光ファイバの端面に対して位置決めする位置決め手段を備えていてもよい。このような位置決め手段を備えることにより、光プラグが装着される度に、仕切り部材の対向面と光ファイバ端面との間の間隙が変化するというような事態を回避できる。したがって、安定な全二重通信が可能となる。
【００１３】
前記位置決め手段は、一実施の形態においては、光ファイバを内部に保持するプラグ（フェルール）の端面に接触する係合面であり、この係合面は前記対向面に対して固定された位置関係にある。
【００１４】
前記位置決め手段は、別の実施の形態においては、前記光ファイバの端面のうち信号光が通過しない部分に接触する係合面であり、この係合面は前記対向面に対して固定された位置関係にある。
【００１５】
好ましくは、前記係合面に摺動性材料、つまり、滑り摩擦係数の小さい材料を用いるのがよい。光プラグを何回転させても、接触箇所の破損は発生しにくい。
【００１６】
前記仕切り部材は、前記係合面を前記光ファイバ側に付勢するバネ手段を備えていてもよい。この場合、係合面はプラグの端面あるいは光ファイバ端面の信号光が通過しない部分に適度の力で押し付けられるので、光プラグ装着中の前記間隙の変化が防止できる。
【００１７】
一実施形態においては、前記仕切り部材は、さらに、前記仕切り板が固定されると共に、前記係合面を有する係合部を備え、前記保持部は、前記係合部を前記光ファイバ側に付勢するバネ手段を有し、前記係合部を光ファイバの光軸方向に移動可能に保持する。
【００１８】
この構成によれば、長目の光プラグが挿入されたとき、係合部は保持部によって保持されつつ、バネ手段のバネ力に逆らって、初期位置からモジュールの奥方（プラグ挿入口の反対側）へと移動する。当然、前記係合面もそれに応じてその初期位置からモジュールの奥方へと移動することになる。したがって、光プラグの製造バラツキを考慮して、考えられ得る最も短い光プラグの長さに対応できる位置を係合部の初期位置とすれば、光プラグの長さにバラツキ（製造許容差）があっても、係合部の移動によってそのバラツキを吸収できる。
【００１９】
一実施形態では、前記係合部は、略円錐台形状の穴を有しており、この穴に光ファイバを有する光プラグの先端部分を収容している。
【００２０】
前記対向面が、装着される光ファイバの端面形状と略相補の形状を有すれば、光ファイバの端面全体に亘って前記間隙を確実に一定にできる。
【００２１】
さらに、本発明は、前述したいずれかの光送受信モジュールと、一芯の光ファイバが挿通されており、この光ファイバの各端面は光ファイバの光軸に対し回転対称な曲面である光ケーブルとを備えたことを特徴とする光送受信システムを提供する。この光送受信システムでは、このような構成の光ケーブルを使用することにより、光ファイバの一方の端面より導かれた送信信号光が他方の端面によって反射されて前記一方の端面に戻り受光素子に入射することを防止できる。
【００２２】
前記回転対称な曲面は、たとえば、凸（コンベックス）面である。円錐面であってもよい。
【００２３】
前述したいずれかの光送受信モジュールとこの光ケーブルを組み合わせると、光プラグがモジュール内で回転しても光ファイバ端面にも仕切り部材にも破損が発生せず、全二重通信方式による光通信を安定して行え、しかもユーザにとってっも利便性の高い光送受信システムが実現できる。
【００２４】
前記光ファイバの端面は、両端部に設けたプラグから突出すると共に、前記光ファイバの端面の半径方向外側部分は前記プラグの端面の一部を覆っていてもよい。このような光ファイバの端面構造は、仕切り部材の係合面が光ファイバの端面のうち信号光が通過しない部分に接触する実施形態において、特に採用される。
【００２５】
【発明の実施の形態】
以下、本発明の実施の形態にかかる光送受信システムついて、図１〜図８を参照して説明する。
【００２６】
図１，２，３に示すように、光送受信システムに使用される光送受信モジュール６０は、内部に１芯の光ファイバを備えるプラグ９０が挿入口６１ａから挿入された時その位置を保持するレセプタクル部６１、光学素子である反射防止膜処理の施された１対の光分岐素子６２、発光素子６３を封止した発光デバイス６４、発光デバイス６４を覆う導電性材料で形成された図示しないシールド、受光素子６５を封止した受光デバイス６６、受光デバイス６６を覆う導電性材料で形成された図示しないシールド、送信信号光の光路と受信信号光の光路とを互いに分離すると共に前記光ファイバの長手方向に移動可能な仕切り部材８０、発光素子６３の駆動ＩＣ７１、駆動ＩＣ７１の電気配線を行うＰＷＢ等からなる基板７２、駆動ＩＣ７１および基板７２を覆うシールド７３、受光素子６５の信号増幅を行う増幅ＩＣ７４、増幅ＩＣ７４の電気配線を行うＰＷＢ等からなる基板７５、増幅ＩＣ７４および基板７５を覆うシールド７６、外部入出力端子７７から構成される。図示の例では、光分岐素子６２としてフーコープリズムを使用しているが、マイクロプリズムアレイを使用してもよい。
【００２７】
前記仕切り部材８０は発光デバイス６４と受光デバイス６６との間および１対の光分岐素子６２の間に位置する仕切り板８１と、仕切り板８１の一端が固定される係合部８２と、係合部８２したがって仕切り板８１を光ファイバの光軸方向に移動可能に保持する保持部８３を備えている。図３（B)(D)からよくわかるように、係合部８２は、プラグ９０の先端をスムースに収納するために中央に略円錐台形状の穴８５を有すると共に、この穴８５の底部に径方向内側に突出した環状の突起８６を有する。仕切り板８１は、厚み50μｍ程のリン青銅板やステンレス板から成り、インサート成形によって係合部５２の底部に固定されている。仕切り板８１には、穴８５に対向する側に、凹状の面８１ａを有する。この面８１ａには光吸収材料（カーボンを含む黒塗料等）が塗装されている。また、図３（C)からよくわかるように、リン青銅板やステンレス板から成る板ばね８４がインサート成形や圧入により保持部８３に取り付けられており、このばね８４によって、係合部８２はプラグ挿入孔６１ａの方向つまり光ファイバ側に常に付勢されている。また、係合部８２は保持部８３に設けられた矩形の穴にスライド可能に嵌り込んでいるため、ばね８４の力よりも大きな力が係合部８２に作用すれば、係合部８２およびこれに固定された仕切り板８１がプラグ挿入孔６１ａとは反対方向に移動する。
【００２８】
この光送受信モジュール６０は図８に示す光ケーブルとともに光送受信システムを構成する。光ケーブルは両端部分（図８には一端部分のみが示されている）に光プラグ９０を有し、中には光ファイバ９１が挿通されている。同図からわかるように、この光プラグは回転防止機構を備えておらず、回転可能である。光ファイバ端面９１ａはプラグ（フェルール）端から突出し、その半径方向外側部分は、図４に示すようにプラグ端面９０ａの一部を覆っている。光ファイバ端面９１ａは、光ファイバ光軸に対し回転対称な曲面であり、図４に示した例では、凸面である。曲面からの反射光束は広がるのでファイバ中を伝播する際にクラッドに吸収され、結果としてファイバから出てくる反射光は、光ファイバ先端が平面の場合に比べて、少なくなる。前述した仕切り板８１の面８１ａの凹形状は光ファイバ端面９１ａの凸形状と相補である。
【００２９】
光プラグ９０がプラグ挿入孔６１ａを通してモジュール６０内に入れられると、図４にはっきりと示されるように、光プラグ９０の先端は仕切り部材８０の係合部８２の穴８５に嵌り込み、プラグ端面９０ａのうちファイバ端面によって覆われていない部分が係合部８２の突起８６の面（係合面）８６ａと接触し、光ファイバ先端と仕切り板の相対位置が決定される。このとき、光ファイバ端面９１ａとこれに対向する仕切り板８１の対向面８１ａとの間には突起８６の厚み分の隙間Ｇができる。光ファイバ端面９１ａを凸面にし、仕切り板８１の対向面８１ａを凸面と相補の凹形状としているため、隙間Gの寸法はファイバ中心から外れても同じとなる。この隙間Ｇの寸法は、光学系の構造に依存するが、0.3mmより小さい値とするのがよい（０ｍｍ＜Ｇ＜０．３ｍｍ）。できるだけ小さいほどよい。この実施の形態では、隙間Ｇは約０．２ｍｍとしている。隙間が0.2ｍｍ位であれば、ビットエラーレート（ＢＥＲ）を１０-12にでき、全二重通信方式を十分に実現できることが実験により確かめられた。
【００３０】
仕切り部材８０の係合部８２はばね８４によってプラグ挿入孔６１ａの方向つまり光プラグ９０の方向に付勢されているので、係合面８６ａがプラグ端面９０ａに常に微小な力で押し付けられている。また、光ファイバ端面９１ａは光ファイバの光軸に対して回転対称な曲面であるので、光プラグ９０を回転してもその端面９１ａの形状は仕切り板８１の対向面８１ａに対して変化しない。これらのことから、前記隙間Ｇは一定に保たれる。
【００３１】
また、光ファイバを含む光プラグ９０は、製造過程で長さのばらつきを持つため、仕切り部材８０をレセプタクル部１１に固定する等して、仕切り板８１の位置を固定してしまうと、光プラグによっては光ファイバ端面９１ａと仕切り板８１の対向面８１ａとの間の隙間が設定以上に大きくなる場合がある。例えば光プラグをEIAJ−RC5720B規格の丸型プラグとすると製造過程のばらつきにより、プラグの長さは14．7〜１５ｍｍとなる。隙間を0.２ｍｍに設定し、仕切り板８１の位置を最長の光プラグに合わせて固定するとすると、プラグによっては0.5ｍｍの隙間になるものが現れる。しかし、本実施の形態では、考えられ得る最も短い光プラグの長さに対応できる位置を仕切り部材８０（具体的には係合部８２）の初期位置とすると共に、仕切り部材８０を光ファイバの長手方向に移動可能とし、板ばね８４により常に微小な力で係合部８２を光プラグ端面９０ａに押し付けるようにするので、どのような長さの光プラグ３０が挿入しても、先に述べた隙間の間隔は一定に保たれる。
【００３２】
プラグ端面９０ａと接触する係合面８６ａは、プラグの回転によりプラグ端面９０ａがその上を摺動するため、ふっ素樹脂や超高分子量ポリエチレンなどの、滑り摩擦係数が小さく、耐磨耗性にすぐれた材料を用いるのが望ましい。
【００３３】
次に、上記構成の光送受信システムの作用について説明する。光送受信モジュール６０の外部から入出力端子７７を介して送信信号（電気信号）が入力されると、駆動ＩＣ７１により発光素子６３が駆動され、送信信号光（光信号）が発光素子６３から出射される。この送信信号光は、発光デバイス６４の表面に形成されたレンズ６７により略平行光とされ、光分岐素子６２へ入射し、光路を偏向され、光ファイバ９１へ入射する。光ファイバの光送受信モジュールに近い側の端面（以下、「近端側端面」と称す。）９１ａで反射した送信信号光は、仕切り板８１と光ファイバ端との間隙Ｇを通過し、受光デバイス６６側へ入射する。このとき、間隙Ｇが０．２ｍｍと小さいため、入射光は十分に小さい光量となる。
【００３４】
光ファイバ９１を伝播した送信信号光は、光ファイバの光送受信モジュールに遠い側の端面（以下、「遠端側端面」と称す。）９１ａで一部反射する。しかし、端面９１ａが凸面であるため、反射光束は広がり、ファイバ中を伝播する間にクラッドに吸収される。その結果として、ファイバ近端側端面９１ａから出てくる反射光は少ない。
【００３５】
一方、光ファイバ遠端側端面９１ａを出た送信信号光は通信相手の光送受信モジュールへと入射する。
【００３６】
通信相手の光送受信モジュールも同一構成である（符号についても同一符号を用いて説明する。）とすると、送信信号光が最初に到達するのは、仕切り板８１の対向面８１ａであるが、この面を光吸収材料（カーボンを含む黒塗料等）により塗装しているため、ここでの反射光は発生しない。
【００３７】
続いて、光分岐素子６２へ到達するが、ここにおいても光分岐素子６２表面は反射防止膜処理が施されているため、ここでの反射光も発生しない。そして、光分岐素子６２に入射した送信信号光は、光路が偏向され受光デバイス６６の表面に形成されたレンズ６８により集光され、受光素子６５に入射する。
【００３８】
この受光素子６５では一部の入射光が反射するが、入射光は受光素子６５へ斜めに入射しているために反対の斜め方向に反射され、光分岐素子６２へは戻らない。この後、受光素子６５に入射した光は光電変換されて電気信号となり、増幅ＩＣ７４により増幅され、外部入出力端子７７から、光送受信モジュール外部へ受信信号として取り出される。
【００３９】
この光送受信システムでは、シールド板を使用することにより電気的クロストークを抑えるとともに、僅かな隙間をあけて光ファイバ端面に対向する仕切り板を有する仕切り部材８０を使用することにより光学的クロストークを抑えるので、全二重通信方式による光伝送を達成できる。また、仕切り板と光ファイバ端面との間に隙間を設けているので、光プラグの回転による光ファイバ端面や仕切り板の破損は生じない。
【００４０】
上述の光送受信システムでは、ファイバ端面９１ａを凸面とし、仕切り部材８０の対向面８６ａを凹面として、隙間Ｇをファイバ中心から外れても同じとなるようにしている。しかし、光学系の構造によっては、隙間が大きくて良いので、その場合は、図５に示すように、仕切り板８１の対向面は湾曲部をもたない面１８１ａとしてもよい。
【００４１】
また、光ファイバ先端は凸面以外に、図６に示すような円錐面１９１ａとしても良い。図６に示した例では、隙間Ｇをファイバ中心から外れても同じとなすために、仕切り板８１の対向面２８１ａは円錐面１９１ａと相補の形状を有する。光ファイバ先端の形状は、プラグの回転に対し回転対称であれば、平面よりも反射光は減るので、その形状に応じて隙間を設定すれば良い。
【００４２】
また、上述の光送受信システムでは、仕切り部材８０の係合部８２はプラグ端面に接触するようにしたが、図７に示すように、係合部８２の突起１８６の長さを図４等に示した突起８６よりも長くして光ファイバ端面９１ａに接触させてもよい。この場合の光ファイバ接触位置は、信号光が通過しない位置である。具体的にはクラッド直径１ｍｍの光ファイバでは、光ファイバの中心から半径方向に0.5mmよりも大きい位置であれば良い。図７に示した例では、係合部８２の突起１８６の厚みを図４等に示した突起８６の厚みよりも薄くすることによって、隙間Ｇの寸法を図４の場合と同じになるようにしている。
【図面の簡単な説明】
【図１】  （A）は本発明の一実施の形態にかかる光送受信システムにおける光送受信モジュールの側面図、（B）は（A)の１Ｂ−１Ｂ線断面図である。
【図２】  図１の光送受信モジュールに光プラグが挿入された場合の図１（Ｂ）と同様の断面図である。
【図３】  （Ａ）は、図１の光送受信モジュールに使用される仕切り部材の正面図、（Ｂ）は（Ａ）のＢ−Ｂ線断面図、（Ｃ）は（Ａ）のＣ−Ｃ線断面図、（Ｄ）は（Ａ）のＤ−Ｄ線断面図である。
【図４】  図１の光送受信モジュールにおける仕切り部材の係合部と光プラグの接触状態を示す断面図である。
【図５】  仕切り部材の変形例を示す図４と同様の断面図である。
【図６】  仕切り部材および光ファイバ端面の変形例を示す図４と同様の断面図である。
【図７】  仕切り部材のさらなる変形例を示す図４と同様の図である。
【図８】  本発明の光送受信システムにおける光ケーブルの一端側を示す斜視図である。
【図９】  （Ａ）および（Ｂ）はそれぞれ本願出願人が先行出願で提案した光送受信モジュールに使用する仕切り板の平面図および側面図であり、光プラグが仕切り板に接触し始めた時点の状態を示す。
【図１０】  （Ａ）および（Ｂ）はそれぞれ光プラグが仕切り板に接触しきった時点での仕切り板の平面図および側面図である。
【図１１】  （Ａ）および（Ｂ）はそれぞれ本願出願人が先行出願で提案した光送受信システムに使用する光ケーブルの側面図および裏面図である。
【符号の説明】
６０  光送受信モジュール
６１  レセプタクル部
６１ａ  挿入口
６２  光分岐素子
６３  発光素子
６４  発光デバイス
６５  受光素子
６６  受光デバイス
７１  駆動ＩＣ
７２、７５  基板
７３、７６  シールド
７４  増幅ＩＣ
７７  外部入出力端子
８０  仕切り部材
８１  仕切り板
８１ａ、１８１ａ、２８１ａ  対向面
８２  係合部
８３  保持部
８４  板ばね
８５  穴
８６、１８６  突起
８６ａ、１８６ａ  係合面
９０  光プラグ
９１  光ファイバ
９１ａ、１９１ａ  光ファイバ端面
【図１】
0003955722.tif 000002
【図２】
0003955722.tif 000003
【図３】
0003955722.tif 000004
【図４】
0003955722.tif 000005
【図５】
0003955722.tif 000006
【図６】
0003955722.tif 000007
【図７】
0003955722.tif 000008
【図８】
0003955722.tif 000009
【図９】
0003955722.tif 000010
【図１０】
0003955722.tif 000011
【図１１】
0003955722.tif 000012